(57)【特許請求の範囲】
【請求項１】
次の構成から成る容器：
（イ）上部（12）、
（ロ）底部（18）、前記上部（12）は前記底部を開閉するために前記底部（18）へ運動自在に連結され、前記底部（18）は複数の開口部（52）を形成する底壁（50）、および構造体を保持するための手段を有する、
（ハ）前記保持手段により保持される構造体であってその構造体内に複数の物品の各々を取外し自在に保持するための手段を有する構造体、前記底壁の各開口部（52）は、前記保持手段により保持されるときに各物品の一部が前記底壁（50）内の開口部（52）に連結されるように位置決めされている、および
（ニ）前記底壁（50）および前記構造体間に設置されかつ次の構成から成る物品エジェクタ（56）：
ｉ）複数のエジェクタボタン（58）、および
ii）前記ボタン（58）相互を連結する連結部材、および
（ホ）前記構造体と前記底壁（50）との間で整列作用位置に前記エジェクタ（56）を保持するための手段、前記保持手段は前記構造体、前記エジェクタ（56）および前記底壁（50）から選択された少なくとも２つの容器要素により提供される第１保持手段およびこれと共働する第２保持手段を含み、前記保持手段は、物品が前記保持手段により保持されるときに前記各ボタン（58）が対応する前記底壁の開口部（52）および組合される物品を整列し、かつ圧力が底壁開口部（52）からボタン（58）上へ上方向へ加えられるときに前記ボタンが移動して上方向の圧力をその上の物品へ加えてその物品を前記保持手段から射出する作用をするように構成され、かつ前記保持手段は共働する第１および第２保持手段を含む。
【請求項２】
前記構造体は１以上の受皿から成る第１保持手段を含み、かつ前記エジェクタ（56）はそのエジェクタ（56）から延在する１以上の位置決め部材から成りかつ前記１以上の受皿によって保持される第２保持手段を含む、請求項１の容器。
【請求項３】
前記構造体はプラットホーム（22）から成り、かつ前記１以上の位置決め部材は前記連結手段から上方へ延在する１以上のボス（64）から成る、請求項２の容器。
【請求項４】
前記１以上の受皿は前記プラットホーム（22）から垂下した壁（38,39）により形成された倒立Ｕ形チャンネル（76）を含む、請求項３の容器。
【請求項５】
前記チャンネル（76）は前記連結部材の一部を保持する、請求項４の容器。
【請求項６】
前記連結部材は主本体（61）および１以上のアーム（62）を有し、前記アームの各々は前記主本体（61）から延在してボタンと連続し、かつ前記１以上の受皿は各アーム（62）を保持する１以上の通路を含む、請求項４の容器。
【請求項７】
前記底壁（50）は１以上の受皿から成る第１保持手段を含み、かつ前記エジェクタ（56）はそのエジェクタ（56）から延在しかつ１以上受皿により保持される１以上の位置決め部材から成る第２保持手段を含む、請求項１の容器。
【請求項８】
前記底壁の各開口部（52）はリム（54）により画定され、かつ前記各ボタン（58）は前記開口部（52）内に設置される垂下側壁（66）を有し、前記ボタンは前記開口部に対して整列される、請求項３の容器。
【請求項９】
前記各ボタン（58）はその側壁（66）に隣接してそこから延在するストップ面を有し、前記ストップ面は前記底壁のリム（54）と当接して前記開口部（52）からの前記ボタン（58）の突出を防止する構成である、請求項８の容器。
【請求項１０】
前記各ボタン（58）はそこから上方へ延在するタブ（72）を有し、かつ前記エジェクタ（56）は前記タブ（72）をその上の物品と接触させて前記構造体からその物品を射出させる構成である、請求項９の容器。
【請求項１１】
前記連結部材の一部は可撓性である、請求項１の容器。
【請求項１２】
前記１以上のアーム（62）の各々は１以上の可撓性部を有する、請求項６の容器。
【請求項１３】
次の構成から成るコンパクト（10）：
（イ）上部（12）、
（ロ）底部（18）、前記上部（12）は前記底部（18）を開閉するために前記底部へ運動自在に連結され、前記底部（18）は複数の開口部（52）を形成する底壁（50）、およびプラットホーム（22）を保持するための手段を有する、
（ハ）前記保持手段により保持されるプラットホーム（22）であってそのプラットホーム内に複数の皿（24）の各々を取外し自在に保持するための手段を有するプラットホーム（22）、前記底壁の各開口部（52）はリム（54）により画定されかつ前記保持手段により保持されるときに前記各皿（24）の一部が前記底壁（50）内の開口部（52）の上になるように位置決めされている、および
（ニ）前記底壁（50）および前記プラットホーム（22）間に設置され、１以上の可撓性部を有し、かつ次の構成から成る皿エジェクタ（56）：
ｉ）各々が底面を有する複数のエジェクタボタン（58）、および
ii）前記ボタン（58）相互を連結する連結部材、
iii）前記連結部材から上方へ突出する１以上のボス（64）、前記プラットホーム（22）は前記１以上のボス（64）を受けかつ前記各ボタン（58）をその上の皿（24）および前記底壁の開口部（52）と整列位置に維持する１以上の受皿を有し、前記各ボタン（58）は前記開口部（52）のリム（54）内に設置されかつ各ボタンを前記開口部に整列させるための垂下側壁（66）を有し、かつ前記各ボタンは前記底壁（50）の下面からのボタンの突出を防止するために前記底壁のリム（54）と係合する構成のストップ面を有し、本コンパクト（10）および前記エジェクタ（56）は、圧力が底壁開口部（52）から前記ボタンの底壁面へ上方向に加わるときに前記ボタン（58）がその圧力をその上の皿（24）へ加えてその保持手段からその皿を射出させるように形成されかつ前記エジェクタ（58）はそのように設置される。
【請求項１４】
前記１以上の受皿は前記プラットホーム（22）から垂下した壁（38,39）により形成された倒立Ｕ形チャンネル（76）を含む、請求項13のコンパクト。
【請求項１５】
前記チャンネル（76）は前記連結部材の一部を保持する、請求項14のコンパクト。
【請求項１６】
前記連結部材は主本体（61）および１以上のアーム（62）を有し、前記アームの各々は前記主本体（61）から延在してボタン（58）に連続し、かつ前記１以上の受皿は各アーム（62）を保持する１以上の通路を含む、請求項14のコンパクト。
【請求項１７】
前記各ボタン（58）はそこから上方へ延在するタブ（72）を有し、かつ前記エジェクタ（56）は前記タブ（72）をその上の物品と接触させて前記プラットホームからその物品を射出する構成である、請求項13のコンパクト。
【請求項１８】
前記連結部材の一部は可撓性である、請求項13のコンパクト。
【請求項１９】
前記１以上のアーム（62）の各々は１以上の可撓性部を有する、請求項16のコンパクト。
【請求項２０】
本コンパクト（10）は選択された１以上のボタン（58）を圧力下で移動させ、その上の皿と接触させてその皿（24）を射出する構成であり、かつその圧力の解除によりその皿を復帰かつ通常位置へ設置する、請求項13のコンパクト。
【請求項２１】
次の構成から成る、エジェクタ（56）および物品を収容しかつ開口部（52）を有する底壁（50）から成る容器から１以上の取外し自在の物品を射出するため物品エジェクタ：
ｉ）底面および上面を有しかつ前記底壁の開口部（52）内に設置できる複数のエジェクタボタン（58）、
ii）前記ボタン（58）相互を連結する連結部材、および
iii）前記ボタン（58）を前記開口部（52）へ着座するように前記容器に対して作用位置へ前記エジェクタ（56）を位置決めしかつ共働して保持し、かつ前記エジェクタ（56）を前記容器内へ収容かつ配置しかつ前記ボタン（58）へ上方向の圧力を加えるときにその圧力が物品へ加わって前記容器からその物品を射出するように配置された位置決め手段。
【請求項２２】
前記連結部材は略水平面内に延在し、かつ前記位置決め手段は前記連結部材から上方へ延在する位置決め部材を含む、請求項21のエジェクタ。
【請求項２３】
前記各ボタン（58）は下側壁、および前記下側壁の上方かつ外方へ突出するストップ面を有する、請求項22のエジェクタ。
【請求項２４】
前記各ボタン（58）はその底面よりも面積の小さい上面を有する、請求項23のエジェクタ。
【請求項２５】
前記連結部材は前記位置決め部材と連続する細長い主本体（61）、および各々が可撓性であって前記主本体（61）から延在してボタン（58）に連続する複数のアーム（62）を含む、請求項21のエジェクタ。
【請求項２６】
前記位置決め部材はボス（64）である、請求項25のエジェクタ。
【請求項２７】
前記連結部材は略水平面内に延在し、かつ前記位置決め部材は前記連結部材から下方へ延在する、請求項21のエジェクタ。
【請求項２８】
前記連結部材は可撓性ガスケット（Ｇ）を含む、請求項21のエジェクタ。
【請求項２９】
前記ガスケット（Ｇ）は側エッジを有するパネルセクション（Ｐ）を含み、かつ前記ボタン（58）は前記側エッジに隣接して前記ガスケット（Ｇ）へ連結されている、請求項28のエジェクタ。
【請求項３０】
前記ガスケット（Ｇ）はブリッジ部材により相互に連結された２つの並列パネルセクション（Ｐ）を含み、前記各パネルセックション（Ｐ）は側エッジを有し、かつ前記ボタン（58）は２セットで配置され、その一方のセットは一方のパネルセックションの側エッジへ連結されて外方へ延在し、かつ他方のセットは他方のパネルセックションの側エッジから外方へ延在する、請求項28のエジェクタ。
【発明の詳細な説明】
技術分野
本発明は化粧品の容器に関する。更に詳細には、本発明は取外し自在の各種化粧品等の物品を入れるコンパクトを含む容器に関する。
発明の背景
化粧品産業において、コンパクト等の容器、同様にブァニティケースを含むと考えられる各種容器が取外し自在の物品を収容するために使用されている。これらの取外し自在の物品は口紅ケース、眉ペンシル等の物品、または通常アイシャドウおよび練り口紅等のメイキャプ用品を入れる皿等の取外し自在の受皿を含む。
これらの物品は各様の手段により取外し自在であるが、物品を除去するための手段を複雑でり、尖端を有する物をコンパクトの底壁へ挿入する必要があり、換言すれば満足できないものであった。そのために、例えば同一物の分離使用、交換またはリフィルを望む場合に、コンパクトから選択的に容易に除去できる、複数のメイキャップ皿等の複数の取外し自在の物品を入れるコンパクトに対するニーズがある。かかるコンパクトに対するニーズは単にコンパクトから１またはそれ以上の物品を選択的かつ容易に除去する手段のみならず、経済的で、製造、組立ておよび使用が容易であることを要求するものであてる。
従って、本発明の課題は１以上の上記または他のニーズに適した容器またはコンパクトを提供することにある。従って、本発明の課題は、例えばメイキャップ皿等の１またはそれ以上の複数の物品をコンパクトから選択的かつ簡単に取り出すための手段を含む化粧品用コンパクトを提供することにある。
本発明の他の課題は製造、組立ておよび使用が簡単な上述のごときコンパクトを提供することにある。
更に、本発明の他の課題はコンパクト内の化粧品を取外し自在に保持する手段、およびその保持手段から１またはそれ以上の化粧品を選択的に取出す（ejecting）のための手段を有するコンパクトを提供することにある。
更に、本発明の他の課題は製造およびコンパクトへの組立てが簡単かつ経済的で使用が容易なコンパクト用取外し手段または取出し片を提供することにある。
本発明の上記および他の課題、特徴および利点を次の説明から明らかにする。
発明の開示
本発明はメイキャップ皿等の複数の取外し自在の物品を入れるコンパクト等の容器に関する。この容器は上部、構造体を保持するための手段を有する底部、および複数の開口部を有する底壁から成る。前記保持手段により保持できるように構成されかつ複数の物品を取外し自在に保持するための手段を有するプラットホーム等の構造体が、各物品の一部を底壁の開口部へ結合するために含まれる。物品エジェクタは前記底壁と前記プラットホームとの間に設置されかつ複数のエジェクタボタン、連結部材を含む。この連結部材は１以上の可撓性部を有しかつ前記ボタン相互を連結する。前記連結部材は、また、主本体および複数のアームを含むのが好ましく、かつ前記構造体と前記底壁との間の整列作用位置においてエジェクタを保持するための手段を有する。
前記保持手段は前記構造体、物品エジェクタおよび底壁から選択された少なくとも１つの容器要素により提供される第１およびこれと共働する第２保持手段を含む。前記保持手段は、物品がそれぞれの保持手段により保持されるときに各ボタンが対応する底壁開口部およびその上に組合される物品を整列するように、構成されている。前記保持手段は、底壁開口部からボタンへ上方間の圧力が加わるときに前記ボタンが移動して上方向の圧力をその上の物品へ加えてその保持手段からそれを射出するように作用する。
好ましくは、前記構造体は１以上の容器から成る第１保持手段を含み、かつ前記エジェクタはそこから突出する１以上のボス等の１以上の位置決め部材であるかまたはそれを含み、かつ１以上の容器により保持される位置決め手段から成る第２保持手段を含む。
同様に、好適態様によれば、前記連結部材は略水平面内に設置されかつ１以上の位置決め部材またはボスが前記連結部材の水平面から遠方かつ上方へ延在し、かつ１以上の受皿により保持される。前記１以上の受皿は前記ボスおよび／または前記連結部材の一部を保持する垂下側壁により画定される倒立Ｕ形チャンネルであってよい。１以上の位置決め部材は、好ましくは主本体および１以上のアームを有する前記連結部材から下方へ延在してよく、その各々は主本体から延在してボタンに連接している。１以上の受皿は１以上の通路を有し、各通路はアームを保持する。前記底壁は１以上の受皿から成る第１保持手段を含み，かつ前記エジェクタはそのエジェクタから延在しかつ前記１以上の受皿によって保持される１以上の部材から成ってよい。好ましくは、前記底壁の各開口部はリムにより画定され、かつ前記各ボタンはボタンを整列設置するための前記開口部内に設置される垂下側壁を有する。前記エジェクタボタンは下側壁に隣接して外方へ延在してボタンの前記底壁の開口部からの突出を防止するストップ面を有するのが好ましい。上方へ凹んだ底面および上方へ突出するタブはその上の物品と接触して物品を射出するために頂面に隣接している。
本発明は、更に、物品エジェクタ、または本明細書においてエジェクタ片と呼ぶ、に関し、このエジェクタは、単に、複数のエジェクタボタン、１以上の可撓性部を有しかつボタン相互を連結する連結部材、および前記連結部材から上方へ延在する１以上のボスから成るものであってよい。選択的に、上述したごとく、このエジェクタは容器またはコンパクトからメイキャップ皿等の物品を放出するものであってよい。本発明のエジェクタは前記連結部材を容器に対して位置決めするために前記連結部材の１以上の位置決め部材またはボスであってよい位置決め手段を有し、そのために前記ボタンは、容器内へエジェクタを収容するときにボタンを前記開口部内に着座させ、物品に圧力を加えて物品を放出することができるように配設されている。
本発明の容器、好ましくはエジェクタは指圧により前記ボタンを移動させかつかかる圧力の解除により通常位置へ復帰させるように構成される。他の態様のエジェクタは側エッジを有するパネルセクションを含んでよい可撓性ガスケットから成り、前記側エッジはそのエッジに隣接してパネルセクションへ連結された複数のボタンを有する。前記ガスケットはブリッジ部材により相互に連結された２つの並列パネルセクションを含んでよく、前記ボタンは２セットが配設され、一方のセットは一方のパネルセクションの側エッジへ、そして他方のセットは他方のパネルセクションの側エッジへ連結されている。
【図面の簡単な説明】
本発明を実施する１つの方法を本発明の単に１特定態様を示す添付図面を参照して以下に詳細に説明する。
図１は本発明の容器またはコンパクトの好適態様の斜視図である。
図２は図１のコンパクトの構成要素の分解図である。
図３は図１の３−３線に沿った縦断面図である。
図４は図２のエジェクタの拡大斜視図である。
図５は図４の本発明のエジェクタの上面図である。
図６は図５の６−６線に沿った縦断面図である。
図７は図５の７−７線に沿った縦断面における部分前面図である。
図８は図５のエジェクタの底面図である。
図９は図５の９−９線に沿った端面図である。
図10は図１のコンパクトのプラットホームおよびエジェクタ要素の上面図である。
図11は図10の11−11線に沿った側立面図である。
図11Aは図10の11A−11A線に沿った側立面の一部の拡大縦断面図である。
図12は図10の12−12線の一部の拡大縦断面図である。
図13は本発明のコンパクトの他の態様の底壁の上面図である。
図14は本発明のエジェクタの他の態様の底面図である。
図15は本発明のコンパクトおよびエジェクタの他の態様の底面の一部を取った部分縦断面図である。
発明を実施するための最良モード
本発明は物品を取外し自在に保持するための手段および前記保持手段から物品を取り出すためのエジェクタを含む手段を有する容器に関する。特に、図１−３は切欠き域16を有しかつ鏡14を取り付けた上部またはカバー12から成る全体を10により示すコンパクト形態等の容器の好適態様を示す。上記カバーは適宜手段、ここでは上記カバーが開放しかつ底部を閉鎖するように図示された蝶番20により底部18へ可動式に連結される。
上記底部はプラットホーム22を保持または固定するための適宜手段、または上記コンパクト内のメイキャップ皿24（図３）等の複数の取外し自在の化粧品を保持するための１以上の他の適宜手段を有する。この態様において、上記プラットホーム固定手段は、底部側壁30の上面部28と係合する構成の外エッジ、または接着剤から成る連続バンドまたはスポット５を接着した外エッジに隣接するプラットホーム下面部27を含む。
プラットホーム22は口紅ケース34等の化粧品を受ける閉鎖底部を有するポケット32、および複数の凹域、ここでは窪み36を有する上パネル25を有する。窪み36はリムにより画定されかつ上記プラットホームから垂下して底壁部40に連続する側壁部38（図10）を有し、各窪みはその窪みの下部または底部に隣接してその底部を含むエッジ42により画定される開口部41を有する。上記開口部のあるものはエッジ43'により画定される通路43を含む。側壁部38は窪み36内に化粧品を取外し自在に保持するための手段、ここではそこから窪みへ外方へ向かって延在する細長い水平ビード44を有する短い側壁部39、プラットホーム上壁25と１以上の側壁部38との接続部に段46を含むものとして示された保持手段を有する。
メイキャップ皿24はその側壁から延在してプラットホーム段46上に当接する周辺フランジ45、および連続溝または１つ（またはそれ以上）の独立窪み48を有し、この溝または窪みは側壁へ延在してビード44と摩擦係合することにより上記プラットホーム内にメイキャップ皿を取外し自在に保持する。
コンパクトの底部18は複数の開口部52を有する底壁50を有し、各開口部は隆起リム54とエッジ55により形成されている。プラットホーム22と底壁50との間には化粧品エジェクタが設けられる。このエジェクタは本明細書においてエジェクタ片またはエジェクタと呼び、全体が56により示され（図４に図示されたように）、複数のボタン58、主本体61および短いアーム62および長いアーム62'から成るアームを有する滑走部材60として図示された連結部材で構成される。
上記アームはボタン相互、および保持手段を連結する。この保持手段は後述のごとく位置決め手段等の第２保持手段であってよく、ここでは滑走部材60へ連結され、好ましくは一体化されてそこから上方へ延在するボス64の形態であるのが好ましい複数の位置決め部材として図示されている。この保持手段は上記エジェクタを作用位置に保持し、その位置において、各ボタン58はそれぞれの底壁の開口部52およびその上のメイキャップ皿24と整列する。
図３から９において、上記エジェクタ連結部材または滑走部材60は主本体61およびアーム62,62'を有し、これらのアームは主本体と同一面または実質的同一面上で主本体から垂直に外方へ延在し、各アームはボタン58に連続している。各ボタンは垂下した側壁66および、ここでは周辺フランジ70の下面68として図示されたストップ面を有する。このストップ面はその側壁に隣接してかつそこから外方へ延在して底壁隆起リム54と当接し、それによりボタンの底壁50の底面からの突出を防止する。
各ボタンは、指先による設置およびボタン底面内中央への圧力の付与を促進する上方へ窪んだ底面74、およびボタンの頂部にタブ72を有し、このタブはコンパクト皿と接触するときにメイキャップ皿の底面上に加わる上方向の圧力を集中させるために、特に上エッジが一定の角度を有する有するタブ場合にそのエッジへ圧力を集中するためにボタン中央部または底面の表面積よりも小さい上面を有するのが好ましい。
上記エジェクタの種々の特徴は図４−９を参照することにより異なる観点から容易に理解される。図５は本発明のエジェクタの上面図、図６はその垂直断面図、図７は前面図、図８はその底面図、および図９は端面図である。
特に具体的には、図９は相対的に長いアーム62'が短いアーム62よりも鉛直方向に厚くして、全アームへ付設されたボタンの略同一範囲の運動が略同一圧力により可能になるように相対的に長い長手に付加的剛性を付与したことを示す。図９は、また、相対的に長いアーム62'の外端部が薄くかつ短いアーム62およびボタンの中央部と略同一厚みを有していて、好適態様において外方へ延在するフランジ70のストップ面54はその範囲において均一かつ同一面を形成している。上記薄い部は、また、僅かな蝶番作用を提供する。
図１から３、および特に図10から12を再度参照すると、コンパクト10を組立てきるときに、エジェクタ56はプラットホーム22の下に設置されかつコンパクト10の底壁50上に当接する。アーム62、62'は側壁部38および39の下でプラットホーム22の窪み36の開口部41へ侵入して、各ボタン58の殆ど全体が開口部41の下でその中に設置されるようになっている。ただし、タブ72は底壁40上へ突出する。ボタンのタブ72の頂面はメイキャップ皿24の底の下から少し間隔を置くのが好ましい。好適には、短い側壁部39の下エッジとアーム62との間の隙間は相対的に大きくかつ側壁38と長いアーム62'との間の隙間は小さい。これは、アームを連結したボタンが底壁50内の開口部52から上方へ押されるときに、アームの上方運動または移動を可能にする。
添付図面は本発明の容器またはコンパクトが保持手段を有すること、または少なくとも２つの容器またはコンパクト要素の一部によって提供される保持手段を有することを示し、この保持手段はその構造体もしくはプラットホーム、エジェクタ、および底部、特に、ここでは細長い倒立Ｕ形チャンネル76の形態の受皿を含む第１保持手段を有するプラットホーム22として図示された底壁から成る。基本的には、第１保持手段は垂下側壁部38と39との間に形成され、かつ第２保持手段はここではそのチャンネルによりまたはチャンネル内に保持されるエジェクタ36の１以上のボス64を有するエジェクタ56として図示されている。第１および第２保持手段はそれにより相互に共働してエジェクタを整列、作用位置に保持する。これらの保持手段は、エジェクタ56が接着されたコンパクト底壁50とプラットホーム22との間に保持されかつ各エジェクタボタン58がそれぞれの底壁の開口部52内に着座し、かつその開口部およびその上のメイキャップ皿24（図３に図示）と一直線になって機能するように構成されている。
図10はエジェクタ22を示し、鎖線により中央パネル隆起26の下に整列保持されたエジェクタ連結部材もしくは滑走部材60およびボス64を示す。図10は、また、エジェクタの長いアーム62'が開口部の通路43のエッジ43'の境界内に保持され、かつボタン58が開口部41のエッジ42の境界内に保持された状態を示す。
図10の11−11線に沿って見た側立面図である図11は側壁38によりこの図において形成される実質的に倒立のＵ形チャンネル76の形成のプラットホーム受皿を示すが、エジェクタ56はチャンネル76から除外してある。図11Aは図10の11A−11Aの一部に沿った垂直断面である。図11Aにおいて、側壁部38および39は中央パネル25の細長い隆起26から垂下して受皿を形成している。これは、また、少なくとも１つの、または所望により複数のエジェクタ56のボス64をプラットホーム22と底壁50との間の所望整列位置に受けかつ保持する。
図10の12−12線に沿って倒立Ｕ形チャンネル76の一部を通る垂直断面を取った図12は中央パネル隆起26の下でチャンネル76内に整列保持されたエジェクタボス64を示す。図12は一部が垂下側壁部38により、かつ一部が短い側壁部39により形成されたＵ形チャンネルを示す。図12は、また、短い側壁部39の下エッジとエジェクタの短いアーム62の上面との間の隙間を明らかに示す。この隙間はアーム62の上方への移動を可能しかつボタン58の開口部41への上方移動を可能にしてプラットホーム22からのその上にあるメイキャップ皿との接触および取外しを可能にする。
図13、14および15は本発明の容器またはコンパクトの他の態様を示す。更に詳細には、図13は全体を50'で示した他の底壁を示し、この底壁は各々がエジェクタ片56'のボタン58'を受ける複数の孔52'を有し（図14および15に図示）、かつ各々がエジェクタ56'から垂下した位置決め手段、ボスまたは脚65'を受ける小径の孔57'を有する。
図14は全体を56'により示した他の態様のエジェクタの下面図であり、ここでは、連結部材またはブリッジ部材60'により連結された２つの並列パネルセクションＰから成るワンピースのガスケットＧとして図示される。各パネルセクションは、ここではそのパネルセクションの側エッジへ好適には一体的に連結されて延在する複数のエジェクタボタン58'を有する平行側エッジ63'を含む、外境界線を有する。複数のボタンは必須でないが、が好ましくは２セットが配置され、一方のセットは一方のパネルセクションの側エッジへ連結し、かつ他方のセットは他方のパネルセクションの側エッジへ連結する。これらのパネルセクションは各々が脚部65'として作用する位置決め部材を有し、その位置決め部材は整列作用位置に上記ガスケットを保持しかつ上記脚部上に上記コンパクトを支持するための底壁57'へ垂下するように適切に位置決めされている。上記ボタンは、また、上記パネルセックションの周辺もしくは外境界線から相互に間隔を置いて位置決めされて底壁50'の開口部52'と連絡して着座するようになっている。
底壁50'の一部を通る拡大垂直断面図15に示されたように、プラットホーム22'は音波溶接または接着等の方法によりコンパクトの底側壁30'へ固定される。プラットホーム22'は孔36'を有する底壁25'を有し、孔36'はボタン58'の上方への通過を可能にしてその上のメイキャップ皿（図示せず）またはそれに結合された構造体との直接的または間接的接触を可能にする。これにより上記メイキャップ皿は上記プラットホームから取外し可能である。底壁25'は相当または充分に剛性であり、好ましくは上記ガスケット上に当接またはガスケットよりも僅かに上に位置決めされる。これは、上記ガスケットが薄く可撓性である場合に特に必要であり、かつ底壁開口部52'内でボタンを適正に着座維持するのに役立つ。図示されていないが、ガスケットＧは当然ながら１以上の側エッジを有しかつその側エッジに隣接してパネルセクションへ連結されたボタンを有する単一パネルセクションの形態の連結部材で構成できる。
本発明の容器またはコンパクトは次の方法により組立てるのが好ましい。底部18を平面を上にして、かつエジェクタ56をその底部においてボタン58が底壁開口部52内へ着座するように載置する。当然ながら、これによりボタンは開口部と整列し、底壁開口部の側エッジ55とボタンの側壁66との間の密接嵌合によりボタンを開口部内に機能的に整列保持してボタン部に対するエジェクタの側運動を実質的に防止する。次に、プラットホーム22をボタン部18上へ設置し、かつメイキャップ皿の射出力よりも大きな接着力により相互に固定維持するようにボタン部18へ固定する。好ましくは、プラットホームの下面27と底側壁上面はそれぞれ対応する段を形成し（垂直方向に見て）、両者の当接面をいずれかの適当な手段、好ましくは音波溶接により固定する。それ程好ましくないが、上記当接面を適宜接着剤によるバンドまたは連続スポットにより固定できる。
プラットホーム22のコンパクトの底部18への固定時に、固定されたプラットホームを、倒立Ｕ形チャンネル76がエジェクタの起立ボス64上にフィットしてそのボスを保持するように設置する。同様に、これは通路43のエッジ43'のエジェクタの長いアーム62'の包含を可能にする。チャンネル76を形成するプラットホーム側壁38と39はエジェクタ56を保持し、それによりエジェクタの前後方向における側方移動を防止する。通路43のエッジ43'および窪みの底壁40の開口部41のエッジ42はエジェクタ56を保持し、それによりエジェクタのチャンネルに沿った、または左右への側方移動を防止する。受皿でありかつその機能をする底壁開口部において、位置決め部材でありかつその機能をするボタン58は共働してエジェクタとコンパクトンとの相対的側運動を防止する。プラットホーム22の底部18への固定はエジェクタを保持して、エジェクタの垂直方向移動を防止する。上述の好適な保持手段の組合わせ以外のものが効果的に採用できるが、本発明による上記組合わせによる保持手段は共働してエジェクタを整列作用位置に保持する。
本発明のエジェクタは１以上の可撓性部を有し、かつ整列位置に収容かつ維持できる位置決め部材として充分な剛性を有するいずれかの適宜材料により形成されてよい。同時に、本発明のエジェクタはそれぞれのボタンを充分な距離まで移動させて、ボタンまたはそれに結合された構造体との接触を可能にするだけの可撓性を有し、それによりメイキャップ皿を保持手段から射出し、その運動圧力が解除されるときに通常位置へ復帰する。通常位置において、各ボタンはそれぞれの底壁開口部へ着座しかつ好ましくはそれぞれのボタンの底面がコンパクトの底壁の底面と一直線になる。エジェクタ連結部材および／またはそのアーム、ガスケット、パネルセクションおよび／またはボタン蝶番は上記射出運動および復帰能力をボタンに付与する板ばねとして機能する。エジェクタを形成する適当材料例としてプラスチック、例えばポリオレフィンおよびポリエステル等の合成材料がある。好適材料はポリプロピレンホモポリマーまたはコポリマーであるが、エジェクタに充分な可撓性と剛性を付与する同様材料（密度の異なる種々のポリエチレンテレフタレート等）が同様に使用できる。適宜弾性材料を使用でき、また他の樹脂へ添加して所望の可撓性が付与されてよい。
本発明のエジェクタおよびその連結部材ならびにボタンは意図された機能を実行するのに適したいずれの形態、厚み、デザインまたは外形であってもよい。好ましくは、図示したように、本発明のエジェクタ、連結部材、アーム、およびボタンは実質的に水平面内にある。エジェクタはいずれの適宜方法により形成されてもよいが、射出成形によるのが好ましく、好適形態として例えば上方へ延在する位置決め手段を一体成形すれば、簡単かつ経済的なエジェクタを射出成形できる。当然ながら、他の適宜形成または成形方法、例えば加熱および／または圧力を加える方法が採用できる。
本発明によるボタンは適宜個数、寸法、外形、および形態であってよく、いずれかの適宜手段により上記エジェクタまたは連結部材へ付設または結合できる。ボタンは好ましくは連結部材またはガスケットと一体的に形成されるがその必要はない。好適ボタンは上述のストップ面を有してコンパクトの底壁の底面下への突出を阻止するものである。
【図４】
0003602537.tif 000002
【図１】
0003602537.tif 000003
【図２】
0003602537.tif 000004
【図３】
0003602537.tif 000005
【図１１】
0003602537.tif 000006
【図５】
0003602537.tif 000007
【図６】
0003602537.tif 000008
【図７】
0003602537.tif 000009
【図８】
0003602537.tif 000010
【図９】
0003602537.tif 000011
【図１０】
0003602537.tif 000012
【図１１Ａ】
0003602537.tif 000013
【図１２】
0003602537.tif 000014
【図１３】
0003602537.tif 000015
【図１４】
0003602537.tif 000016
【図１５】
0003602537.tif 000017